(57)【特許請求の範囲】
【請求項１】
試験対象物の上面側を保持する上面板と、
試験対象物の下面側を保持する下面板と、
上面板を上下方向に移動させる上下方向移動機構と、
上面板及び上下方向移動機構が支持される装置本体と上面板及び上下方向移動機構との間に設けられ、試験対象物の上下方向の荷重を検出する上下方向荷重検出器と、
上面板と上下方向移動機構との間に設けられ、上面板側を上方に付勢して上下方向移動機構側に揺動自在に圧接させる付勢機構とを備え、
前記付勢機構を、上面板及び上下方向移動機構の一方に設けられたピストンと、上面板及び上下方向移動機構の他方に設けられたシリンダとから構成し、
上面板側をシリンダ内の空気圧により上方に付勢するように設けるとともに、シリンダ内の空気を排出可能に設けた
ことを特徴とする特性試験装置。
【請求項２】
前記試験対象物の上下方向の変位を検出する上下方向変位検出器を備え、
上下方向変位検出器の検出子を前記上面板に接触するように配置した
ことを特徴とする請求項１記載の特性試験装置。
【発明の詳細な説明】
【０００１】
【発明の属する技術分野】
本発明は、例えば橋桁の支承や建物の免震装置に用いられるゴム材の特性を試験するための特性試験装置に関するものである。
【０００２】
【従来の技術】
一般に、橋桁の支承や建物の免震に用いられるゴム材は、多数の鋼板とゴム板を交互に積層することによって形成されている。このゴム材の特性について試験する場合、試験対象物に上下方向及び水平方向の荷重を付与する特性試験装置を用い、ゴム材の上下方向の荷重による変位と、水平方向の荷重による変位をそれぞれ測定している。また、特性試験装置としては、試験対象物の上面側を保持する上面板と、試験対象物の下面側を保持する下面板と、上面板を上下方向に移動させる上下方向移動機構と、下面板を水平方向に移動させる水平方向移動機構とを備えたものが用いられる。
【０００３】
【発明が解決しようとする課題】
しかしながら、従来の特性試験装置では、上下方向の荷重を測定する際、上下方向移動機構のシリンダの内圧にシリンダの断面積を乗じることによって荷重を算出し、これに上面板の自重を補正値として加減するようにしているため、荷重の計算が複雑になり、測定誤差を生じやすいという問題点があった。
【０００４】
本発明は前記問題点に鑑みてなされたものであり、その目的とするところは、上下方向の荷重を常に正確に測定することのできる特性試験装置を提供することにある。
【０００５】
【課題を解決するための手段】
本発明は前記目的を達成するために、請求項１では、試験対象物の上面側を保持する上面板と、試験対象物の下面側を保持する下面板と、上面板を上下方向に移動させる上下方向移動機構と、上面板及び上下方向移動機構が支持される装置本体と上面板及び上下方向移動機構との間に設けられ、試験対象物の上下方向の荷重を検出する上下方向荷重検出器と、上面板と上下方向移動機構との間に設けられ、上面板側を上方に付勢して上下方向移動機構側に揺動自在に圧接させる付勢機構とを備え、前記付勢機構を、上面板及び上下方向移動機構の一方に設けられたピストンと、上面板及び上下方向移動機構の他方に設けられたシリンダとから構成し、上面板側をシリンダ内の空気圧により上方に付勢するように設けるとともに、シリンダ内の空気を排出可能に設けている。これにより、試験対象物に加わる荷重が上下方向荷重検出器によって直接検出されることから、測定時に上面板の自重による影響を受けることがない。
【０００６】
また、上面板が付勢機構によって上下方向移動機構側に圧接されていることから、加圧時に上面板の自重のみが試験対象物に加わることがない。
【０００７】
また、請求項２では、請求項１記載の特性試験装置において、前記試験対象物の上下方向の変位を検出する上下方向変位検出器を備え、上下方向変位検出器の検出子を前記上面板に接するように配置している。これにより、請求項１の作用に加え、試験対象物の変位が上面板に接触する上下方向変位検出器によって測定されることから、上下方向移動機構や上下方向荷重検出器の部材変形による変位量の測定誤差を生ずることがない。
【０００８】
【発明の実施の形態】
図１乃至図５は本発明の一実施形態を示すものであり、図１は特性試験装置の正面図、図２及び図３はその要部拡大側面図、図４及び図５はその動作説明図である。
【０００９】
この特性試験装置は、装置本体を構成するフレーム１と、ゴム材等の試験対象物Ａの上面側を保持する上面板２と、試験対象物Ａの下面側を保持する下面板３と、上面板２を上下方向に移動させる上下方向移動機構４と、下面板３を水平方向に移動させる水平方向移動機構５と、試験対象物Ａの上下方向の荷重を検出する上下方向荷重検出器６と、試験対象物Ａの水平方向の荷重を検出する水平方向荷重検出器７と、試験対象物Ａの上下方向の変位を測定する上下方向変位測定器８と、試験対象物Ａの水平方向の変位を測定する水平方向変位測定器９とから構成されている。
【００１０】
フレーム１は、複数の支柱１ａと、各支柱１ａの上部に架設された支持部材１ｂとからなり、各支柱１ａの下部には基板１ｃが設けられている。
【００１１】
上面板２は上面側に互いに摺動自在に嵌合する凸球面板２ａ及び凹球面板２ｂを有し、これら凸球面板２ａ及び凹球面板２ｂは複数の付勢機構１０によって互いに圧接している。各付勢機構１０は、図２に示すようにシリンダ１０ａ内を摺動するピストン１０ｂのロッド１０ｃを凹球面板２ｂの縁部を貫通して凸球面板２ａの縁部に固定しており、シリンダ１０ａ内の空気圧によって凸球面板２ａを上方に付勢することにより、凸球面板２ａを凹球面板２ｂに圧接させるようになっている。また、各付勢機構１０はシリンダ１０ａ内の空気を排出して凸球面板２ａの上方への付勢を解除することにより、図３に示すようにピストン１０ｂが上面板２の自重でシリンダ１０ａの一端に当接するようになっている。
【００１２】
下面板３は基板１ｃ上に設置され、レール３ａによって水平方向に移動自在に支持されている。
【００１３】
上下方向移動機構４は油圧シリンダからなり、下方に延びるロッド４ａを上面板２の凹球面板２ｂ側に連結し、ロッド４ａの摺動により上面板２を上下方向に移動させるようになっている。
【００１４】
水平方向移動機構５は油圧シリンダからなり、側方に延びるロッド５ａを下面板３に連結し、ロッド５ａの摺動により下面板３を水平方向に移動させるようになっている。
【００１５】
上下方向荷重検出器６は複数の圧縮・引張型ロードセルからなり、上端側をフレーム１の支持部材１ｂに連結され、下端側を上下方向移動機構４の油圧シリンダに連結されている。即ち、上面板２及び上下方向移動機構４はフレーム１に上下方向荷重検出器６を介して支持されている。
【００１６】
水平方向荷重検出器７は単一の圧縮・引張型ロードセルからなり、一端側を下面板３側に連結され、他端側を水平方向移動機構５の油圧シリンダに連結されている。
【００１７】
上下方向変位測定器８は上面板２に接触する複数のストロークセンサからなり、その検出子をそれぞれ上面板２に接触させて配置し、上面板２の幅方向両端側における上下方向の変位を測定するようになっている。
【００１８】
水平方向変位測定器９は下面板３に接触するストロークセンサからなり、その検出子を下面板３に接触させて配置し、下面板３の水平方向の変位を測定するようになっている。
【００１９】
以上のように構成された特性試験装置においては、試験対象物Ａを上面板２及び下面板３間に保持し、上下方向移動機構４によって上面板２を下方に移動させることにより、試験対象物Ａに圧縮荷重が加わる。その際、試験対象物Ａの上下方向の荷重が上下方向荷重検出器６によって検出され、上下方向の変位が上下方向変位測定器８によって測定される。即ち、試験対象物Ａに加わる荷重が上下方向荷重検出器６によって直接検出されることから、測定時に上面板２の自重や上下方向移動機構４の摺動抵抗などの影響を受けることがない。その際、上面板２は各付勢機構１０によって凸球面板２ａ及び凹球面板２ｂを互いに圧接されていることから、加圧時に上面板２の自重のみが試験対象物Ａに加わることがない。更に、試験対象物Ａの変位が上面板２に接触する上下方向変位測定器８によって測定されることから、上下方向移動機構４や上下方向荷重検出器６の部材変形による変位量の測定誤差を生ずることがない。
【００２０】
また、上下方向移動機構４によって上面板２を上方に移動させることにより、試験対象物Ａに引張荷重が加わり、その上下方向の荷重が上下方向荷重検出器６によって検出され、上下方向の変位が上下方向変位測定器８によって測定される。その際、図３に示すように各付勢機構１０のシリンダ１０ａ内の空気を排出しておくことにより、ピストン１０ｂが上面板２の自重でシリンダ１０ａの一端に直接係合し、試験対象物Ａに各付勢機構１０の緩衝作用が生ずることなく引張荷重が付与される。
【００２１】
前記上下方向移動機構４による圧縮試験及び引張試験において、水平方向移動機構５により下面板３を水平方向に移動させることにより、試験対象物Ａに圧縮荷重または引張荷重が加わりながら水平方向の荷重が加わり、水平方向の荷重が水平方向荷重検出器７によって検出され、水平方向の変位が水平方向変位測定器９によって測定される。
【００２２】
このように、本実施形態の特性試験装置によれば、上面板２及び上下方向移動機構４をフレーム１に上下方向荷重検出器６を介して支持することにより、試験対象物Ａに加わる荷重を上下方向荷重検出器６によって直接検出するようにしたので、測定時に上面板２等の自重や上下方向移動機構４の摺動抵抗などの影響を受けることがなく、上下方向の荷重を常に正確に測定することができる。
【００２３】
尚、前記実施形態では上下方向及び水平方向にそれぞれ荷重を付与可能な特性試験装置を示したが、上下方向のみの特性試験装置にも本発明を適用することができる。
【００２４】
【発明の効果】
以上説明したように、請求項１の特性試験装置によれば、測定時に上面板等の自重による影響を受けることがないので、上下方向の荷重を常に正確に測定することができる。
【００２５】
また、加圧時に上面板の自重のみが試験対象物に加わることがないので、上面板の自重が死荷重となる測定誤差を確実に防止することができる。
【００２６】
また、請求項２の特性試験装置によれば、請求項１の効果に加え、上下方向移動機構や上下方向荷重検出器の部材変形による変位量の測定誤差を生ずることがないので、変位量の測定を常に正確に行うことができる。
【図面の簡単な説明】
【図１】本発明の一実施形態を示す特性試験装置の正面図
【図２】特性試験装置の要部拡大側面図
【図３】特性試験装置の要部拡大側面図
【図４】特性試験装置の動作説明図
【図５】特性試験装置の動作説明図
【符号の説明】
１…フレーム、２…上面板、３…下面板、４…上下方向移動機構、５…水平方向移動機構、６…上下方向荷重検出器、７…水平方向荷重検出器、８…上下方向変位測定器、９…水平方向変位測定器、１０…付勢機構、Ａ…試験対象物。
【図１】
0003926912.tif 000002
【図２】
0003926912.tif 000003
【図３】
0003926912.tif 000004
【図４】
0003926912.tif 000005
【図５】
0003926912.tif 000006